(57)【特許請求の範囲】
【請求項１】
メッキ浴槽用スナウトの内部を観察する装置であって、前記スナウトの側壁に、スナウト内部側にスナウト内部を透視する透過体を備えた観察室を設け、該観察室の内部を光遮断板により仕切って二個の空間部を形成し、該各空間部にそれぞれ、前記スナウト内部を照射する光源装置と、前記スナウト内部を撮像するカメラを配置したことを特徴とするメッキ浴槽用スナウト観察装置。
【請求項２】
請求項１記載のメッキ浴槽用スナウト観察装置において、前記観察室が筒状体であることを特徴とするメッキ浴槽用スナウト観察装置。
【請求項３】
請求項１又は２記載のメッキ浴槽用スナウト観察装置において、前記観察室の外側を水冷ジャケット構造にしていることを特徴とするメッキ浴槽用スナウト観察装置。
【請求項４】
請求項１〜３のいずれか１項に記載のメッキ浴槽用スナウト観察装置において、前記観察室の内部に不活性ガスを供給していることを特徴とするメッキ浴槽用スナウト観察装置。
【発明の詳細な説明】
【０００１】
【発明の属する技術分野】
本発明は、メッキ浴槽のスナウト内の浴面に浮遊するスカムや鋼板のメッキ状態を観察する装置に関する。
【０００２】
【従来の技術】
従来、冷間圧延された薄鋼板は、スナウト内からメッキ浴槽に通板することにより、その表面に亜鉛メッキ、錫メッキ等のメッキを施したメッキ鋼板に加工されて用いられている。
このメッキ浴槽の浴面やスナウト内の浴面には、メッキ金属の酸化や異物の混入により生成したスカムが浮遊している。このスカムの一部がメッキ鋼板に付着するとメッキ外観疵、メッキ不良等を招く。
このメッキ不良やメッキ外観疵を防止するために、スナウト内にメタルポンプを設けてスカムを除去したり、窒素をスカーフして鋼板に接触するスカムを排除する等の処置がとられている。
また、通板中のスナウト内のスカムの状態は、メッキの種類、通板速度等の操業条件によって大きく変化し、通板中の板形状やスカムの浮遊している場所によって、前述のメタルポンプや窒素のスカーフが有効に作用しない場合が生じる。
従って、通板中の板形状やスカムの浮遊場所を観察しながら、メタルポンプの位置や窒素のスカーフの角度あるいはガス量等をその状態に応じて調整する必要がある。
しかし、一般に用いているメッキ浴槽のスナウト内の観察装置は、高温の雰囲気下にあり、メッキ金属のヒューム等によって視界が阻害され、メタルポンプの位置や窒素のスカーフの角度等を正確に調整することが困難であった。
この対策として、例えば実公平２−４８４２０号公報に記載されているように、メッキ浴槽用スナウトの側壁に、スナウト内部を照射する光源用の筒体と観察カメラ用の筒体を別々に設け、それぞれの筒体の先端に不活性ガス導入筒と、この不活性ガス導入筒に供給する不活性ガスを遮断する弁を設けている。
そして、この不活性ガス導入筒により、スナウト内部の還元ガスが外部に漏洩するのを防止したり、弁を閉じることにより光源やカメラ等の補修を容易にしている。
【０００３】
【発明が解決しようとする課題】
しかしながら、実公平２−４８４２０号公報では、スナウトの側壁に光源と観察カメラ用の筒体を別々に設置しているので、筒体の取付け個数が多くなるほど筒体あるいは筒体の取付け部に隙間が生じ易くなり、この隙間から外気が侵入してスナウト内の雰囲気を汚染してメッキ鋼板の品質を阻害する。
更に、外気の侵入を防止するために、筒体にアルゴンガスや窒素ガス等を供給してシール性を高めた場合は、シールに用いるアルゴンや窒素の消費量が増加し作業コストが上昇したり、構造が複雑になって修理等の保全に時間を要し、生産ラインの停止を生じ、生産性が低下する等の欠点がある。
また、光源と観察カメラを一体の筒体に設けることも考えられるが、筒体の奥側（スナウト内部側）にスナウト内を透視するための透過体（耐熱ガラス等）が有り、この透過体から光源の反射光が生じて観察用のカメラの視界が阻害され、通板中の板形状やスカムの浮遊状態を正確に観察できない等、いずれにおいても問題がある。
【０００４】
本発明はかかる事情に鑑みてなされたもので、メッキ浴槽の浴面や通板の板形状を正確に監視し、外気の侵入の防止やシールに用いるガスの節減等が可能なメッキ浴槽用スナウト観察装置を提供することを目的とする。
【０００５】
【課題を解決するための手段】
前記目的に沿う本発明のメッキ浴槽用スナウト観察装置は、メッキ浴槽用スナウトの内部を観察する装置であって、前記スナウトの側壁に、スナウト内部側にスナウト内部を透視する透過体を備えた観察室を設け、該観察室の内部を光遮断板により仕切って二個の空間部を形成し、該各空間部にそれぞれ、前記スナウト内部を照射する光源装置と、前記スナウト内部を撮像するカメラを配置している。これにより、透過体からの反射光がカメラに入るのを光遮断板によって確実に遮断でき、カメラの視界を阻害するのを防止して、通板中の板形状やスカムの浮遊状態を正確に観察できる。
更に、簡単な構造により、シールに用いるアルゴンや窒素の消費量を抑制し、作業コストの低減や修理等の保全を容易にすることができる。
【０００６】
ここで、前記観察室は、筒状体にすることができる。
筒状にすることにより、簡単に加工して取付けができ、熱等に対する変形等を防止できる。
【０００７】
更に、前記観察室は、前記観察室の外側を水冷ジャケット構造にすることができる。
これにより、観察室内の温度の上昇を抑え、観察用のカメラや光源装置の寿命を延長し、故障等を防止できる。
【０００８】
また、前記観察室の内部には、不活性ガスを供給することができる。
不活性ガスを供給することにより、メッキ金属のヒュームが侵入したり、透過体やカメラのレンズにヒュームが付着するのを防止できる。
【０００９】
【発明の実施の形態】
続いて、添付した図面を参照しつつ、本発明を具体化した実施の形態につき説明し、本発明の理解に供する。
図１は本発明の一実施の形態に係るメッキ浴槽用スナウト観察装置が設けられたスナウトの概略図、図２は同メッキ浴槽用スナウト観察装置を直立させた状態の詳細図である。
図１及び図２に示すように、本発明の一実施の形態に係るメッキ浴槽用スナウト観察装置１３（以下観察装置１３という）は、メッキ浴槽１１に先端を浸漬して、他端を図示しない焼鈍炉の出口に接続したスナウト１２の側壁１２ａに取付けられている。
更に、メッキ浴槽１１には、スナウト１２内のメッキ浴面１４に浮遊する図示しないスカムを除去するメタルポンプ１５を両側に設けており、このメタルポンプ１５は、メッキ浴面１４からスカムを吸引するサクション管１６と、吸引するためのプロペラ１７を回転させる電動機１８と、スカムの吐出口１９を備えている。
そして、鋼板２０は、焼鈍炉から出て、スナウト１２内の上部に設けたガイドロール２１とメッキ浴槽１１内に浸漬されたシンクロール２２により支持されスナウト１２内を通って、メッキ浴面１４を通過する。このメッキ浴に進入し、シンクロール２２でターンした後の鋼板２０は、スナウト１２の外に設けた図示しないワイピングノズルを通過してメッキ厚みを調整して後工程に搬送される。
【００１０】
観察装置１３は、スナウト１２の側壁１２ａに取付けた観察室である鋼鉄製の筒状体２３を有し、この筒状体２３のスナウト内部側（奥側）には、耐熱ガラス等からなり内部を透視する透過体２４を設けて放出される熱や金属ヒュームを遮断し、手前側には、キャップ２５をボルト・ナット等の締結手段を用いて前記筒状体２３に固定している。筒状体２３の内部は、断熱ボード、金属板等の光遮断板２６によって仕切られた二個の空間部２７、２８が形成されている。
この空間部２７には、基台３０に傾転装置２９を介して載置したカメラの一例であるテレビカメラ３１と、このテレビカメラ３１に通電し、その画像を電送するケーブル３２が前記キャップ２５を貫通して配線されている。
更に、空間部２８には、スナウト１２内部のメッキ浴面１４を照らすハロゲンランプや蛍光灯等の光源装置３３と、光源装置３３に通電するケーブル３４を設けている。
また、筒状体２３の外側は、鋼鉄製の仕切り板２３ａを設けて水冷ジャケット構造にしており、給水口３５、３６から給水された冷却水が図２中矢印の方向に循環して排水口３７、３８から系外に排出されるようにしている。
また、それぞれの空間部２７及び空間部２８には、内部を静圧以上に維持するため、アルゴンガスや窒素ガス等の不活性ガスを吹き込むための気体吹き込み管３９、４０を取付けている。
【００１１】
次に、前記観察装置１３を用いたスナウト１２内部の観察方法について説明する。
鋼板２０は、焼鈍炉からスナウト１２内の上部に設けたガイドロール２１に案内されてスナウト１２内を通過し、メッキ浴槽１１内のメッキ浴に浸漬され、シンクロール２２でターンし、所定のメッキが施され、ワイピングノズルでメッキ厚みを調整してから後工程に搬送される。
このスナウト１２内のメッキ浴面１４は、光源装置３３により明るく照らされ、透過体２４を透視して、テレビカメラ３１を傾転装置２９により傾転させてメッキ浴面１４の全体を撮像し、その状況をケーブル３２を介して図示しないモニター等に表示する。
更に、観察装置１３は、一個の筒状体２３を光遮断板２６によって、空間部２７と空間部２８に分け、空間部２７にテレビカメラ３１を取付け、空間部２８に光源装置３３を設けているので、スナウト１２内のメッキ浴面１４を光源装置３３により照らした際に、光が透過体２４により乱反した反射光がテレビカメラ３１に入るのを防止でき、鮮明な撮像が得られる。
この理由から、光遮断板２６の先端と透過体２４の隙間を１０ｍｍ以下になるように光遮断板２６の位置を設定するとより好ましい。
また、このような観察室がスナウト１２の側壁１２ａに設けられた一個の筒状体２３からなっているので、外気の侵入する部分を最小限にでき、シールの構造を簡単にできる。
【００１２】
また、スナウト１２内に侵入する外気を防止することにより、スナウト１２内の雰囲気の阻害を防止して、メッキ金属の酸化や過剰のスカムの生成、メッキ汚れや不メッキ等の発生を抑制することができる。
更に、鋼鉄製の筒状体２３の外側部に仕切り板２３ａを設けて、給水口３５、３６から給水された冷却水が図中矢印の方向に循環して排水口３７、３８から系外に排出する水冷ジヤケット構造が形成され、テレビカメラ３１及び光源装置３３の空間部２７、２８の雰囲気温度が上昇しないように筒状体２３を冷却しており、テレビカメラ３１及び光源装置３３の寿命の延長と、故障の頻度の減少や修理等の保全時間が短縮できる。
なお、筒状体２３の透過体２４は、スナウト１２内から放出される熱や金属ヒュームを遮断しているので、光源装置３３の投射光がメッキ浴面１４を十分に照らし、テレビカメラ３１の視界を良くすることができる。
また、空間部２７及び空間部２８には、気体吹き込み管３９、４０からアルゴンガスや窒素ガス等の気体を吹き込んでおり、内部にスナウト１２内から放出される金属ヒュームが侵入するのを防止し、光源装置３３の投射光及びテレビカメラ３１の視界を確保している。
そして、メッキ浴面１４には、メッキ金属の酸化物や鋼板２０に追随したスカムが浮遊しており、鋼板２０に付着してメッキ不良やメッキの外観性が損なわれる場合がある。
そこで、スカムの浮遊量や場所、通板する鋼板２０の形状をテレビカメラ３１により撮像し、スカムの異常が発生した場合は、テレビカメラ３１により、その位置を確認し、サクション管１６を移動してメタルポンプ１５のプロペラ１７を回転させてスカムを吸引し、吐出口１９からスナウト１２の外に排出する。
更に、鋼板２０の形状等に異常がある場合は、通板の速度やテンション等を調整して適正な形状に修正してメッキが行われる。
このようにして、メッキが施された鋼板２０は、後工程に搬送され、コイルに巻かれて製品として出荷される。
【００１３】
以上、本発明の実施の形態を説明したが、本発明は、上記した形態に限定されるものでなく、要旨を逸脱しない条件の変更等は全て本発明の適用範囲である。
例えば、筒状体２３の形状は、円筒形が好ましいが、正方形や長方形等の矩形のものでも良く、更に、筒状体２３の冷却は、水冷ジャケット構造による方法の他に、空気や窒素等の気体を供給して空冷方式を用いても良い。
また、耐熱ガラス等の透過体２４からの乱反射光を抑えることができるフィルムや塗装膜等を透過体２４の内側の表面に形成するか、あるいは光遮断体２６の先端を透過体２４に設けた溝に埋め込んで配設することもできる。
【００１４】
【発明の効果】
請求項１〜４記載のメッキ浴槽用スナウト観察装置は、メッキ浴槽用スナウトの内部を観察する装置であって、スナウトの側壁に、スナウト内部側にスナウト内部を透視する透過体を備えた観察室を設け、観察室の内部を光遮断板により仕切って二個の空間部を形成し、各空間部にそれぞれ、スナウト内部を照射する光源装置と、スナウト内部を撮像するカメラを別々に配置しているので、透過体からの反射光がカメラに入るのを確実に遮断し、板形状やスカムの浮遊状態を正確に観察し、メッキ鋼板に発生するメッキ不良やメッキ汚れ等の防止と、シールに用いるガスの節減や故障、修理等の保全を容易にし、作業コストの節減や生産ラインの停止等の短縮が可能になる。
【００１５】
特に、請求項２記載のメッキ浴槽用スナウト観察装置は、観察室を筒状体にしているので、簡単に加工して取付けられ、熱等に対する変形等を防止し、寿命やシール性を向上できる。
【００１６】
請求項３記載のメッキ浴槽用スナウト観察装置は、観察室の外側を水冷ジャケット構造にしているので、観察室内の温度の上昇を抑え、観察用のカメラや光源装置の寿命を延長したり、故障等を防止できる。
【００１７】
請求項４記載のメッキ浴槽用スナウト観察装置は、観察室の内部に不活性ガスを供給するので、メッキ金属のヒュームが侵入したり、透過体やカメラレンズへ付着するのを防止し、スナウト内の視界が確保され、状況に応じてメタルポンプの移動や通板条件等を正確に調整することができる。
【図面の簡単な説明】
【図１】本発明の一実施の形態に係るメッキ浴槽用スナウト観察装置が設けられたスナウトの概略図である。
【図２】同メッキ浴槽用スナウト観察装置を直立させた状態の詳細図である。
【符号の説明】
１１：メッキ浴槽、１２：スナウト、１２ａ：側壁、１３：観察装置、１４：メッキ浴面、１５：メタルポンプ、１６：サクション管、１７：プロペラ、１８：電動機、１９：吐出口、２０：鋼板、２１：ガイドロール、２２：シンクロール、２３：筒状体、２３ａ：仕切り板、２４：透過体、２５：キャップ、２６：光遮断板、２７：空間部、２８：空間部、２９：傾転装置、３０：基台、３１：テレビカメラ、３２：ケーブル、３３：光源装置、３４：ケーブル、３５：給水口、３６：給水口、３７：排水口、３８：排水口、３９：気体吹き込み管、４０：気体吹き込み管
【図１】
0004112737.tif 000002
【図２】
0004112737.tif 000003